(57)【特許請求の範囲】
【請求項１】
注射針、シリンダー、及びプランジャーを備える注射器において、前記注射針を収容して選択的に開閉させる着脱式の開閉手段を有する注射器であって、
尖端を有する中空のキャップから前記シリンダーに至って形成され、圧力の作用方向により自然に開閉が調節される切り換え弁手段を有する吸引流路と、
前記シリンダーから前記注射針に至って形成され、薬液から異物をろ過するろ過手段を有する注射流路と、で構成されるが、
前記開閉手段は、前記注射針のハブを取り囲んで結合できるように下部に気密空間が形成され、前記気密空間の内に前記注射針の針とハブを互いに固定させる接着材料が収容されることにより、前記接着材料が薬液から隔離され、
前記開閉手段は前記キャップの内部に固設され、前記キャップの分離により一緒に分離され、
前記注射流路と前記吸引流路は、一部を共有し、または前記注射流路は、前記吸引流路とは独立して形成され、前記注射流路において、前記ろ過手段から前記注射針に至る流路は、前記吸引流路とは独立して形成されることを特徴とするフィルター注射器。
【請求項２】
注射針、シリンダー、及びプランジャーを備える注射器において、前記注射針を収容して選択的に開閉させる着脱式の開閉手段を有する注射器であって、
尖端を有する中空のキャップから前記シリンダーに至って形成され、前記シリンダーの回転操作により開閉が調節される切り換え弁手段を有する吸引流路と、
前記シリンダーから前記注射針に至って形成され、薬液から異物をろ過するろ過手段を有する注射流路と、で構成されるが、
前記開閉手段は、前記注射針のハブを取り囲んで結合できるように下部に気密空間が形成され、前記気密空間の内に前記注射針の針とハブを互いに固定させる接着材料が収容されることにより、前記接着材料が薬液から隔離され、
前記開閉手段は前記キャップの内部に固設され、前記キャップの分離により一緒に分離され、
前記注射流路と前記吸引流路は、一部を共有し、または前記注射流路は、前記吸引流路とは独立して形成され、前記注射流路において、前記ろ過手段から前記注射針に至る流路は、前記吸引流路とは独立して形成されることを特徴とするフィルター注射器。
【請求項３】
注射針、シリンダー、及びプランジャーを備える注射器において、前記注射針を収容して選択的に開閉させる着脱式の開閉手段を有する注射器であって、
尖端を有する中空のキャップから前記シリンダーに至って形成され、内周面に係止段が形成された前記キャップが分離されたか否かにより前記係止段に接触して開閉が調節される切り換え弁手段を有する吸引流路と、
前記シリンダーから前記注射針に至って形成され、薬液から異物をろ過するろ過手段を有する注射流路と、で構成されるが、
前記開閉手段は、前記注射針のハブを取り囲んで結合できるように下部に気密空間が形成され、前記気密空間の内に前記注射針の針とハブを互いに固定させる接着材料が収容されることにより、前記接着材料が薬液から隔離され、
前記開閉手段は前記キャップの内部に固設され、前記キャップの分離により一緒に分離され、
前記注射流路と前記吸引流路は、一部を共有し、または前記注射流路は、前記吸引流路とは独立して形成され、前記注射流路において、前記ろ過手段から前記注射針に至る流路は、前記吸引流路とは独立して形成されることを特徴とするフィルター注射器。
【請求項４】
流体が入るキャップの吸引針の開口と流体が出る注射針の針の開口が同軸上に位置し、流体が出るシリンダーの開口と流体が入るシリンダーの開口を共有することを特徴とする請求項１乃至３のいずれかに記載のフィルター注射器。
【請求項５】
流体が入るキャップの吸引針の開口と流体が出る注射針の針の開口が同軸上に位置し、流体が出るシリンダーの開口と流体が入るシリンダーの開口を共有しないことを特徴とする請求項１に記載のフィルター注射器。
【請求項６】
前記注射針と前記シリンダーとの間には、コネクターがさらに設けられることを特徴とする請求項１乃至３のいずれかに記載のフィルター注射器。
【発明の詳細な説明】
【技術分野】
【０００１】
本発明は、フィルター注射器に関し、特に、アンプルのガラス片等の異物をろ過させるろ過手段が設けられた注射器の構造を改良して、異物が薬液と一緒に注射されることを防ぐとともに、特に、微細な気孔径のろ過手段が適用されても、薬液を小さな力でスムーズに吸引及び注射可能にするための装置であって、注射流路にろ過手段が設けられ、異物が薬液と一緒に注射されることを防ぐとともに、微細な気孔径のろ過手段が適用されても、薬液をさらに円滑に吸引及び注射することができるので、ユーザの使い勝手及び注射器の商品性を極大化させることができる装置に関する。
【背景技術】
【０００２】
一般に、注射器は、動植物の体内に薬液を注射する器具であり、鋭い先端で皮膚を刺し、任意の組職内に薬液を注射するようになっている。
【０００３】
図１は、一般の注射器を示す分解斜視図であり、このような注射器は、図１に示すように、注射針１０が結合され、注射液が収容されるシリンダー２０と、前記シリンダー２０内において前進及び後退可能に設けられるプランジャー３０と、で構成される。
【０００４】
この種の注射器は、プランジャー３０の後退により、シリンダー２０内に負圧が発生しながら注射液が充填され、前進により、正圧となり、シリンダー２０内の薬液が注射針１０から排出されながら患者の体内に注射液の注射が行われるものである。
【０００５】
しかしながら、この種の注射器の使用時は、注射液そのものに混入されていた異物や、または注射液が貯蔵されたアンプルを折って開封する過程で、注射液内に飛散され混入されたガラス片のような異物が、注射液と一緒に患者の体内に注射される恐れがあった。
【０００６】
このような問題点を解決するために、注射液に含まれた異物をろ過するためのフィルターを備えたフィルター注射器が開発されている。
【０００７】
先ず、特許文献１に開示されているように、異物のろ過のためのフィルターが注射針またはシリンダー内に設けられた従来のフィルター注射器は、シリンダーの内部に吸引される注射液に対して異物をろ過する機能を行うことになる。
【０００８】
しかしながら、注射液の吸引時は、アンプルの内部に入った注射針の外表面に異物が付着したり、あるいは注射針の内部に残存した注射液は、異物がろ過されていない状態であるので、異物が注射液と一緒に患者の体内に注射されることを根本的に防止することはできなかった。
【０００９】
これに対して、特許文献２には、異物のろ過のためのフィルターが、注射針を覆うキャップの内部に設けられた例が開示されている。
【００１０】
図２は、従来のフィルターキャップ注射器を示す分解斜視図であり、図３は、従来のフィルターキャップ注射器を示す要部断面図であって、特許文献２に開示された従来のフィルターキャップ注射器が、図２及び図３に示されている。
【００１１】
従来のフィルターキャップ注射器は、図３に示すように、キャップ４０の内部にフィルター４１が設けられており、注射液の吸引時、異物がフィルター４１でろ過され、注射時には、フィルター４１を有するキャップ４０を注射針１０から分離させるので、異物が注射される恐れがなかった。
【００１２】
しかしながら、このような従来のフィルターキャップ注射器は、注射液がキャップ４０に設けられたフィルター４１を通過した後、微細な注射針１０からのみシリンダー２０の内部に吸引されるので、注射液を吸引するのに比較的大きな力が要求され、使用が極めて不便であるという従来技術の問題点があった。
【００１３】
しかも、近年、微細な気孔径のフィルターが適用されることにより、プランジャー３０を後退させ、シリンダー２０内に負圧が作用して真空状態となっても、薬液が微細な気孔径のフィルターを通過せず、薬液の吸引が円滑ではないという問題点が発生している実情である。
【先行技術文献】
【特許文献】
【００１４】
【特許文献１】韓国公開特許第２０１２−８７５８７号公報
【特許文献２】米国登録特許第４１８００７１号公報
【発明の概要】
【発明が解決しようとする課題】
【００１５】
本発明は、前記問題点に鑑みなされたものであり、その目的は、注射流路にろ過手段が設けられ、異物が薬液と一緒に注射されることを防ぐとともに、微細な気孔径のろ過手段が適用されても、薬液をさらに円滑に吸引及び注射することができるので、ユーザの使い勝手及び注射器の商品性を極大化させることができるフィルター注射器を提供することにある。
【課題を解決するための手段】
【００１６】
前記目的を達成するために、本発明は、注射針、シリンダー、及びプランジャーを備える周知の注射器において、尖端を有する中空のキャップから前記シリンダーに至って形成され、周知の一方向弁手段を有する吸引流路と、前記シリンダーから前記注射針に至って形成され、前記注射針を選択的に開閉させる着脱式の開閉手段、及び薬液から異物をろ過するろ過手段を有する注射流路と、で構成されるが、前記注射流路と前記吸引流路は、一部を共有し、または前記注射流路は、前記吸引流路とは独立して形成され、前記注射流路において、前記ろ過手段から前記注射針に至る流路は、前記吸引流路とは独立して形成されることにより達成される。
【００１７】
このとき、前記吸引流路の入口と前記注射流路の出口が同軸上に位置し、前記吸引流路の出口と前記注射流路の入口を共有してもよく、これとは異なり、前記吸引流路の入口と前記注射流路の出口が同軸上に位置せず、前記吸引流路の出口と前記注射流路の入口を共有してもよい。
【００１８】
このとき、前記注射針と前記シリンダーとの間には、コネクターがさらに設けられてもよい。
【００１９】
これとともに、前記吸引流路の入口と前記注射流路の出口が同軸上に位置し、前記吸引流路の出口と前記注射流路の入口を共有しなくてもよく、これとは異なり、前記吸引流路の入口と前記注射流路の出口が同軸上に位置せず、前記吸引流路の出口と前記注射流路の入口を共有しなくてもよい。
【００２０】
この場合、前記吸引流路の出口と前記注射流路の入口は、互いに異なる方向を向くように固定されまたは角度調整が可能であることが好ましい。
【００２１】
また、前記注射針の針とハブを互いに固定させる接着材料は、注射針を取り囲んで気密を維持する開閉手段内に収容され、薬液から隔離されることが最も好ましい。
【発明の効果】
【００２２】
本発明によれば、注射流路にろ過手段が設けられ、異物が薬液と一緒に注射されることを防ぐとともに、微細な気孔径のろ過手段が適用されても、薬液をさらに円滑に吸引及び注射することができるので、ユーザの使い勝手及び注射器の商品性を極大化させることができる。
【図面の簡単な説明】
【００２３】
【図１】一般の注射器を示す分解斜視図である。
【図２】従来のフィルターキャップ注射器を示す分解斜視図である。
【図３】従来のフィルターキャップ注射器を示す要部断面図である。
【図４】本発明に係るフィルター注射器の実施例１における一方向弁手段の開放状態を示す断面図である。
【図５】本発明に係るフィルター注射器の実施例１における一方向弁手段の閉鎖状態を示す断面図である。
【図６】本発明に係るフィルター注射器の実施例１における開閉手段を示す斜視図である。
【図７】本発明に係るフィルター注射器の実施例１における他の例の一方向弁手段の開放状態を示す断面図である。
【図８】本発明に係るフィルター注射器の実施例１における他の例の一方向弁手段の閉鎖状態を示す断面図である。
【図９】本発明に係るフィルター注射器の実施例１における他の例の一方向弁手段の開放状態を示す断面図である。
【図１０】本発明に係るフィルター注射器の実施例１における他の例の一方向弁手段の閉鎖開放状態を示す断面図である。
【図１１】本発明に係るフィルター注射器の実施例１における他の例の一方向弁手段を示す図である。
【図１２】本発明に係るフィルター注射器の実施例１における一方向弁手段が外部に設けられた状態を示す断面図である。
【図１３】本発明に係るフィルター注射器の実施例１における一方向弁手段の一例を示す斜視図である。
【図１４】本発明に係るフィルター注射器の実施例１における一方向弁手段が外部に設けられ、コネクターが適用された状態を示す断面図である。
【図１５】本発明に係るフィルター注射器の実施例２における一方向弁手段が外部に設けられた状態を示す断面図である。
【図１６】本発明に係るフィルター注射器の実施例２における一方向弁手段が外部に設けられ、コネクターが適用された状態を示す断面図である。
【図１７】本発明に係るフィルター注射器の実施例３における一方向弁手段が外部に設けられた状態を示す断面図である。
【図１８】本発明に係るフィルター注射器の実施例４における一方向弁手段が内部に設けられた状態を示す断面図である。
【発明を実施するための形態】
【００２４】
図４は、本発明に係るフィルター注射器の実施例１における一方向弁手段の開放状態を示す断面図であり、図５は、本発明に係るフィルター注射器の実施例１における一方向弁手段の閉鎖状態を示す断面図であり、図６は、本発明に係るフィルター注射器の実施例１における開閉手段を示す斜視図である。
【００２５】
図７は、本発明に係るフィルター注射器の実施例１における他の例の一方向弁手段の開放状態を示す断面図であり、図８は、本発明に係るフィルター注射器の実施例１における他の例の一方向弁手段の閉鎖状態を示す断面図である。
【００２６】
また、図９は、本発明に係るフィルター注射器の実施例１における他の例の一方向弁手段の開放状態を示す断面図であり、図１０は、本発明に係るフィルター注射器の実施例１における他の例の一方向弁手段の閉鎖状態を示す断面図である。
【００２７】
また、図１１は、本発明に係るフィルター注射器の実施例１における他の例の一方向弁手段を示す図であって、（ａ）は正面図であり、（ｂ）は正断面図である。
【００２８】
図１２は、本発明に係るフィルター注射器の実施例１における一方向弁手段が外部に設けられた状態を示す断面図であり、図１３は、本発明に係るフィルター注射器の実施例１における一方向弁手段の一例を示す斜視図であり、図１４は、本発明に係るフィルター注射器の実施例１における一方向弁手段が外部に設けられ、コネクターが適用された状態を示す断面図である。
【００２９】
また、図１５は、本発明に係るフィルター注射器の実施例２における一方向弁手段が外部に設けられた状態を示す断面図であり、図１６は、本発明に係るフィルター注射器の実施例２における一方向弁手段が外部に設けられ、コネクターが適用された状態を示す断面図である。
【００３０】
また、図１７は、本発明に係るフィルター注射器の実施例３における一方向弁手段が外部に設けられた状態を示す断面図であり、図１８は、本発明に係るフィルター注射器の実施例４における一方向弁手段が内部に設けられた状態を示す断面図である。
【００３１】
以下、添付図面を参照して、本発明の実施例について説明する。
【００３２】
本発明のフィルター注射器は、図４乃至図１８に示すように、周知の注射器の内外部に、薬液を吸引するための吸引流路と、薬液を注射するための注射流路とが形成されるが、ろ過手段２００から前記注射針１０に至る流路が、前記吸引流路とは独立して形成されることにより、基本的に異物が含まれた薬液が注射されることがなく、既存よりも小さな力で容易に薬液を吸引及び注射することができることを、その技術上の基本特徴とする。
【００３３】
本発明に係るフィルター注射器は、注射針１０、シリンダー２０、及びプランジャー３０を備える周知の注射器において、尖端を有する中空のキャップ１００から前記シリンダー２０に至って形成され、周知の一方向弁手段３００を有する吸引流路と、前記シリンダー２０から前記注射針１０に至って形成され、前記注射針１０を選択的に開閉させる着脱式の開閉手段４００、及び薬液から異物をろ過するろ過手段２００を有する注射流路と、で構成されるが、前記注射流路と前記吸引流路は、一部を共有し、または前記注射流路は、前記吸引流路とは独立して形成され、前記注射流路において、前記ろ過手段２００から前記注射針１０に至る流路は、前記吸引流路とは独立して形成されることが好ましい。
【００３４】
このように、吸引流路と、注射流路において、シリンダー２０からろ過手段２００までの流路は、例えば、ガラス製アンプルのような薬液容器の開封時、ガラス粉等の異物が含まれた薬液が残存する可能性がある区間であり、このように異物が残存し得る区間を、注射流路においてろ過手段２００から注射針１０に至る流路とは独立して形成することにより、ガラス粉のような異物が体内に注射されることを根本的に予防することができることになる。
【００３５】
すなわち、本発明は、異物が含まれた薬液を、吸引時にろ過させず、注射時にろ過させることである。
【００３６】
これは、気孔径が略１．２μｍ以下である微細なろ過手段２００を適用することにより、薬液の吸引が円滑でないことを改善するためのことであって、同じ大きさの圧力が負圧として作用して薬液を吸引する場合、微細な気孔径のろ過手段２００により薬液の吸引が制限されるが、これに対して、同じ大きさの圧力が正圧として作用して薬液を注射する場合は、微細な気孔径のろ過手段２００であっても薬液の注射がさらに円滑に行われる作用を用いたものである。
【００３７】
このため、本発明においては、吸引流路の入口と注射流路の出口を独立して形成することにより、薬液の吸引時は、吸引流路の一方向弁手段３００が開放され、薬液が、注射針１０の直径にかかわらず、注射器のシリンダー２０の内部に容易に吸引され、その間、開閉手段４００が注射流路を閉鎖している。
【００３８】
反対に、薬液の注射時は、一方向弁手段３００により、吸引流路が閉鎖されるのに対して、開閉手段４００の除去により注射流路が開放されるとともに、ろ過手段２００が薬液から異物をろ過させた後、注射することである。
【００３９】
このとき、前記一方向弁手段３００は、実施形態によって、圧力の作用方向により自然に開閉が調節されてもよく、ユーザの回転操作により開閉が調節されてもよく、単にキャップ１００が分離されたか否かにより開閉が調節されてもよいのみならず、軟性の気密材料を貫通する尖端の貫通針であってもよい。
【００４０】
上述のような本発明に係るフィルター注射器を具現するのには、吸引流路の入口と注射流路の出口が同軸上に位置するか否かと、注射器のシリンダー２０において吸引流路の出口と注射流路の入口を共有するか否かとの組合せにより、下記の４つの例が挙げられ、以下、これらを実施例１乃至実施例４に分けて説明する。
【００４１】
実施例１：吸引流路の入口と注射流路の出口が同軸上に位置し、吸引流路の出口と注射流路の入口を共有する例
実施例２：吸引流路の入口と注射流路の出口が同軸上に位置せず、吸引流路の出口と注射流路の入口を共有する例
実施例３：吸引流路の入口と注射流路の出口が同軸上に位置し、吸引流路の出口と注射流路の入口を共有しない例
実施例４：吸引流路の入口と注射流路の出口が同軸上に位置せず、吸引流路の出口と注射流路の入口を共有しない例
【実施例１】
【００４２】
実施例１は、吸引流路の入口と注射流路の出口が同軸上に位置し、吸引流路の出口と注射流路の入口を共有する例である。
【００４３】
本発明に係るフィルター注射器の実施例１では、一方向弁手段３００を内装している例と、一方向弁手段３００を外装している例とに分けられる。
【００４４】
先ず、図４乃至図１４に、本発明に係るフィルター注射器の実施例１において、一方向弁手段３００を内装している例が示されている。
【００４５】
特に、図４及び図５には、薬液に加わる圧力の作用方向により自然に開閉される一方向弁手段３００が適用されたものであって、吸引流路は、キャップ１００の吸引針１１０→キャップ１００のキャップハブ１２０→一方向弁手段３００→注射針１０のハブ１２→シリンダー２０からなる。
【００４６】
このとき、キャップ１００は、薬液溶液から薬液を吸引するためのものであって、吸引針１１０及びキャップハブ１２０で構成され、前記吸引針１１０の先端は、バイアル等を突き通すように傾斜して尖端を有し、金属材または合成樹脂材からなり、高い剛性を有する。
【００４７】
また、キャップハブ１２０は、このような吸引針１１０を支持するように一体で結合されたものであって、キャップハブ１２０の内周面は、注射針１０の針１１を支持するハブ１２の外周面と結合し、前記ハブに形成された貫通孔１２ａの下部において気密を維持する。
【００４８】
ここで、前記注射針１０の針１１とハブ１２は、エポキシのような接着材料１３で互いに固定されており、このとき、前記ハブ１２が注射器のシリンダー２０に気密を維持して組み立てられる。
【００４９】
このとき、別途の弾性材質のシーリングのような気密手段６００を、キャップハブ１２０の内周面とハブ１２の外周面との間にさらに設置し、その間への薬液の漏れを予防することもできる。
【００５０】
これとともに、前記注射針１０のハブ１２には、微細なガラス粉等の異物をろ過可能な周知の構成であるろ過手段２００が設けられ、このろ過手段２００の下方に、前記貫通孔１２ａに連通して薬液に加わる圧力の作用方向により自然に開閉される一方向弁手段３００が内装されている。
【００５１】
このような一方向弁手段３００は、例えば、シリコンのように柔らかな材質の円形弾性板３１０と係止突部３１１で構成される。
【００５２】
前記弾性板３１０は、前記ハブ１２の内径に対応する直径で形成され、その中心が前記ハブ１２のろ過手段２００の下に組立て固定され、前記弾性板３１０の外周端の上側には、前記弾性板３１０が上方へ変形することを制限するための係止突部３１１が形成されている。
【００５３】
その結果、薬液の吸引時、前記弾性板３１０の外周端が、図４に示すように、図面において下方へ変形しながら一方向弁手段３００が開放されることにより、薬液がろ過手段２００を経ずに吸引流路を通じて注射器のシリンダー２０の内部に充填される。
【００５４】
また、注射流路は、図５に示すように、シリンダー２０→注射針１０のハブ１２→ろ過手段２００→注射針１０の針１１からなる。
【００５５】
このときは、前記一方向弁手段３００において、弾性板３１０の外周端が、図５に示すように、係止突部３１１に係止されて上方への変形が制限されるので、前記一方向弁手段３００が閉鎖されることにより、吸引流路への薬液の漏れを防ぐことになる。
【００５６】
これとともに、前記注射針１０の針１１は、薬液の吸引時、開閉手段４００により閉鎖されていたが、薬液の注射時は、前記開閉手段４００を分離させて針１１を開放させるようになる。
【００５７】
特に、本発明において、前記開閉手段４００が、図６に示すように、気密空間４１０及びフランジ４２０を有してもよい。
【００５８】
すなわち、前記開閉手段４００は、薬液の吸引時、注射針１０の針１１を閉鎖させ、薬液の注射時、注射針１０の針１１を開放させる機能をするものであって、本発明では、前記開閉手段４００が前記注射針１０のハブ１２に結合可能であることが好ましい。
【００５９】
このため、前記開閉手段４００の下部には、気密空間４１０が形成され、この気密空間４１０が前記注射針１０のハブ１２を取り囲んで結合することになる。
【００６０】
特に、本発明では、前記注射針１０の針１１とハブ１２を互いに固定させる接着材料１３は、注射針１０を取り囲んで気密を維持する開閉手段４００の気密空間４１０内に収容され、薬液から隔離されることが好ましい。
【００６１】
これにより、接着材料１３が薬液と接触して、接着材料１３の接着力を低下させ、または接着材料１３により薬液の成分が変質することが防がれる。
【００６２】
これとともに、前記開閉手段４００に設けられるフランジ４２０は、必要に応じて、前記開閉手段４００をキャップハブ１２０の内周面に固定させることを可能にするものである。
【００６３】
図５には、前記開閉手段４００がキャップ１００の内部に固設され、前記キャップ１００の分離により、開閉手段４００を一緒に分離させることにより、注射針１０を開放させる例が示されている。
【００６４】
これにより、薬液の吸引時、薬液は、キャップ１００から一方向弁手段３００を経てシリンダーに吸引され、薬液の注射時、薬液は、シリンダー２０からろ過手段２００を経て注射針１０を通じて注射される。
【００６５】
その結果、注射流路において、ろ過手段２００から注射針１０に至る流路は、ガラス粉等の異物が残存し得る薬液に対して、ろ過手段２００がろ過を行うので、異物が注射されることが根本的に防がれ、特に、ろ過手段２００が注射流路に設けられるので、薬液の吸引をさらに円滑にするとともに、微細な気孔径のろ過手段２００に対しても注射を容易に行うことができる。
【００６６】
すなわち、ろ過手段２００が吸引流路に設けられ、微細な気孔径のろ過手段２００を適用する場合、薬液の吸引時、シリンダー２０の内部に真空が形成されても、薬液がろ過手段２００を容易に通過しないので、薬液の吸引が円滑ではなかったが、本発明は、このような問題を解決することができ、以降、薬液の注射時は、薬液に正圧が作用するので、薬液は、微細な気孔径のろ過手段２００を確実に通過して注射され得る。
【００６７】
また、上記では、ろ過手段２００がハブ１２の内部に設けられ、一方向弁手段３００がハブ１２のろ過手段２００の下に配置されたものを例示しているが、これと同様に、例えば、ろ過手段２００がハブ１２の内部に設けられ、一方向弁手段３００が注射器のシリンダー２０内に配置されてもよい。
【００６８】
これを変形して、ろ過手段２００が注射器のシリンダー２０内に配置され、一方向弁手段３００が注射器のシリンダー２０内に配置されるが、前記ろ過手段２００の下に位置することも可能である。
【００６９】
これと同様に、前記ハブ１２と前記カバー２０との間に別途のコネクター５００を加え、ろ過手段２００がハブ１２の内部に設けられ、一方向弁手段３００が前記コネクター５００の内部に設けられ、或いは、前記ろ過手段２００がコネクター５００の内部に設けられ、一方向弁手段３００が注射器のシリンダー２０内に配置されてもよい。
【００７０】
すなわち、本発明において、ろ過手段２００及び一方向弁手段３００の位置は特別に限定されず、ただろ過手段２００が一方向弁手段３００よりも注射針１０の側に位置すればよい。
【００７１】
次に、図７及び図８を参照して、本発明に係るフィルター注射器の実施例１において、一方向弁手段３００がユーザの回転操作により開閉調節される例について説明する。
【００７２】
このときも、吸引流路は、キャップ１００の吸引針１１０→キャップ１００のキャップハブ１２０→一方向弁手段３００→注射針１０のハブ１２→シリンダー２０からなる。
【００７３】
また、上述した圧力の作用方向により自然に開閉する一方向弁手段３００が適用された実施例と重複する構成については、その説明を省略し、一方向弁手段３００の異なる作用についてのみ説明する。
【００７４】
このとき、注射針１０のハブ１２には、前記キャップハブ１２０に連通する通路３２１が形成され、注射器のシリンダー２０には、これに対応して開口３２２が形成される。
【００７５】
これにより、前記シリンダー２０を回転させると、選択的に前記開口３２２と通路３２１が整列される場合、薬液の吸引が可能となり、前記シリンダー２０をさらに回転させて整列を解除する場合、前記開口３２２と通路３２１が互いに一列に整列されずに遮断されることにより、薬液の注射時、吸引流路に薬液が逆流することを防止する。
【００７６】
次は、図９及び図１０を参照して、本発明に係るフィルター注射器の実施例１において、一方向弁手段３００が、単にキャップ１００の分離の有無により開閉が調節される例について説明する。
【００７７】
このときも、吸引流路は、キャップ１００の吸引針１１０→キャップ１００のキャップハブ１２０→一方向弁手段３００→注射針１０のハブ１２→シリンダー２０からなる。
【００７８】
このとき、注射針１０のハブ１２には、図９及び図１０に示すように、内周面から外周面に至る流通孔３５１が形成され、ハブ１２の外周面には、前記流通孔３５１の周辺を一周して溝部３５２が形成される。
【００７９】
前記流通孔３５１の直径及び個数は、薬液が円滑に流通するとともに、気密が行われるように適宜変更されてもよく、前記溝部３５２は、緩慢な曲面からなり、この溝部３５２内に略円形断面を有するゴム等の弾性材質の弾性バンド３５０が位置する。
【００８０】
このような弾性バンド３５０は、前記溝部３５２内に弾性的に配置され、キャップ１００のキャップハブ１２０との接触の有無により、その位置が移動することになる。
【００８１】
このため、前記キャップハブ１２０の内周面には、前記弾性バンド３５０との接触のための係止段１２２が形成されている。
【００８２】
これにより、前記キャップ１００が注射針１０に組み立てられた状態では、図９に示すように、係止段１２２に弾性バンド３５０が接触しながら、前記弾性バンド３５０が移動することにより、流通孔３５１が開放される。
【００８３】
これに対して、前記キャップ１００が注射針１０から分離された状態では、図１０に示すように、弾性バンド３５０が最小の直径に収縮しながら曲面を伝わって元の位置に戻り、流通孔３５１を閉鎖させる。
【００８４】
その結果、ユーザは、キャップ１００が組み立てられているか否かにより、一方向弁手段３００の開閉を断続することができ、生理食塩水を吸引してから粉末薬剤が入った薬液容器に生理食塩水を注射して粉末薬剤を溶解させ、再び吸引しなければならない場合、上述した一方向弁手段３００によって、吸引及び注射がさらに小さな力で円滑に行われるという利点を有する。
【００８５】
以降、体内に注射しようとするときは、単にキャップ１００を分離させるだけで、注射流路は、図１０に示すように、シリンダー２０→注射針１０のハブ１２→ろ過手段２００→注射針１０の針１１からなる。
【００８６】
このときも、開閉手段４００がキャップ１００の内部に固設され、前記キャップ１００の分離により開閉手段４００が一緒に分離され、注射針１０を開放させる。
【００８７】
これにより、薬液の吸引時、薬液は、キャップ１００から一方向弁手段３００を経てシリンダーに吸引され、薬液の注射時、薬液はシリンダー２０からろ過手段２００を経て注射針１０を通じて注射される。
【００８８】
その結果、必要に応じて、迅速に薬液を吸引してから迅速に排出させることができる。
【００８９】
図１１には、２つの一方向弁手段３００が二重で形成された例が示されており、この場合、上述した注射針１０のハブ１２に、変形された流通孔３５１及び溝部３５２が形成された第一の一方向弁手段３００が構成され、キャップ１００が結合されたか否かにより、一方向弁手段３００の開閉が調節され、ハブ１２の内部には、変形された形状の弾性板３１０からなる第二の一方向弁手段３００が構成されていてもよい。
【００９０】
このような第二の一方向弁手段３００の場合、弾性板３１０は、別途の係止突部３１１を必要とせず、薬液に作用する圧力の方向により、略傾斜して形成された羽根状の構造物がハブ１２の内壁と直接接触して開閉が行われる。
【００９１】
このように、２つ以上の一方向弁手段３００を重複して含んで構成してもよい。
【００９２】
次に、図１２乃至図１４に、本発明のフィルター注射器の実施例１において、一方向弁手段３００を外装している例が示されている。
【００９３】
これまでは、一方向弁手段３００が、キャップ１００や注射針１０の内部に設けられている例について説明したが、薬液の吸引の際に必要な力が一方向弁手段３００を通過するときに作用することができる。
【００９４】
すなわち、薬液の吸引をさらに小さな力で行うために、一方向弁手段３００のサイズを大きく設計しなければならなかったが、既存は、このような一方向弁手段３００が内装されており、そのサイズの拡張には制限があった。
【００９５】
したがって、本発明では、図１２乃至図１４に示すように、キャップ１００のキャップハブ１２０から注射器のシリンダー２０に至る外部の吸引流路をさらに設けてもよい。
【００９６】
これにより、一方向弁手段３００のサイズに制限されなくなる。
【００９７】
図１２には、一方向弁手段３００が別途に外装されている例が示されている。
【００９８】
このとき、前記一方向弁手段３００は、上述した例とは異なり、サイズに制限されず、図１３に例示した球を内装した逆止め弁（チエッキ弁）等、様々な変更が可能である。
【００９９】
例えば、図１３に示すように、前記流路を選択的に開閉させる球３３０を有する周知の逆止め弁である。
【０１００】
このような球３３０を有する逆止め弁は、遊動可能な前記球３３０の両側に接触シート３３１、３３２が形成されるが、一方のシート３３１には、注射液の流れが可能なように切開されており、他方のシート３３２には、球３３０の外表面と接触して気密を維持するようになっている。
【０１０１】
その結果、注射器を基準として負圧が作用するときは、前記球３３０が切開されたシート３３１側に移動して、注射液の流れがその切開部位を通じて行われるが、注射器を基準として正圧が作用するときは、前記球３３０が気密を維持するシート３３２側に移動して、注射液の流れを遮断することになる。
【０１０２】
この場合、前記キャップ１００と前記シリンダー２０との間には、流路を形成するための別途の構成が加えられてもよい。
【０１０３】
例えば、分岐管をキャップハブ１２０やシリンダー２０に一体で形成した後、柔らかな素材の管で相互連結してもよく、所定の傾斜角を維持するように構成してもよく、相互選択的に連結または分離することができる周知の構成が可能である。
【０１０４】
但し、互いの連結を分離する構造では、一方向弁手段３００がシリンダー２０側に連結された状態を維持しなければ、薬液が漏れてしまう恐れがある。
【０１０５】
また、図１２には、一方向弁手段３００だけが外装されたものを例示しており、また、図１４には、別途のコネクター５００を用いて一方向弁手段３００を外装した例が示されている。
【０１０６】
このとき、このようなコネクター５００をキャップハブ１２０やシリンダー２０に一体で形成してもよく、一方向弁手段３００を、このようなコネクター５００内に内装してもよく、その変更適用に制限がない。
【実施例２】
【０１０７】
実施例２は、吸引流路の入口と注射流路の出口が同軸上に位置せず、吸引流路の出口と注射流路の入口を共有する例である。
【０１０８】
次に、本発明の実施例２は、上述したように、吸引流路の出口と注射流路の入口を共有するのに対して、吸引流路の入口と注射流路の出口が同軸上に位置しない場合である。
【０１０９】
このため、キャップ１００と注射針１０は、それぞれ独立して位置し、開閉手段４００は、キャップ１００から分離されて注射針１０を閉鎖させるように設けられる。
【０１１０】
この場合、図１５に示すように、吸引流路に一方向弁手段３００が設けられ、このとき、前記キャップ１００から前記シリンダー２０に至る吸引流路を柔らかく構成してもよいが、前記シリンダー２０から注射針１０とは異なる所定の傾斜角を維持するように構成してもよい。
【０１１１】
これにより、シリンダー２０から互いに異なる角度で分岐された胴体に、一方には吸引流路が形成され、他方には注射流路が形成されてもよい。
【０１１２】
このような構成によると、注射流路が開閉手段４００により閉鎖された状態で、キャップ１００から薬液を吸引することにより、吸引される薬液は、一方向弁手段３００を経てシリンダー２０に充填され、注射される薬液は、ろ過手段２００を経て開閉手段４００が除去された注射針１０から送り出される。
【０１１３】
図１６には、別途のコネクター５００を加えたものが示されており、同図には、直角に分岐されたコネクター５００を例示しているが、それ以外の角度をなして構成してもよく、またはその角度を調節可能に構成することも良好であり、前記コネクター５００内に一方向弁手段３００が設けられてもよい。
【実施例３】
【０１１４】
実施例３は、吸引流路の入口と注射流路の出口が同軸上に位置し、吸引流路の出口と注射流路の入口を共有しない例である。
【０１１５】
図１７には、吸引流路の入口と注射流路の出口が、上述したように同軸上に位置するのに対して、吸引流路の出口と注射流路の入口は互いに共有しない場合である。
【０１１６】
この場合、一方向弁手段３００が内装されてもよく、例示のように、外装されてもよい。
【０１１７】
このときも、分岐管をキャップハブ１２０やシリンダー２０に一体で形成した後、柔らかな素材の管で相互連結してもよく、所定の傾斜角を維持するように構成してもよく、相互選択的に連結または分離することができる周知の構成が可能である。
【０１１８】
但し、互いの連結を分離する構造では、一方向弁手段３００がシリンダー２０側に連結された状態を維持しなければ、薬液が漏れてしまう恐れがある。
【０１１９】
このとき、前記一方向弁手段３００は、軟性の気密材質と、これを貫通して挿入しまたは分離可能な尖端の貫通針とで構成されてもよい。
【０１２０】
例えば、前記シリンダー２０にシリコン等の気密材質を設置し、これを貫通する尖端の貫通針を設置すれば、例えば、バイアルのように、前記貫通針が気密材質を貫通して位置する間は、薬液がシリンダー２０に吸引され、前記貫通針を気密材質から分離すると、孔が塞がれながら、シリンダー２０の内部の薬液がこの気密材質を通過して流出してしまうことがない。
【実施例４】
【０１２１】
実施例４は、吸引流路の入口と注射流路の出口が同軸上に位置せず、吸引流路の出口と注射流路の入口を共有しない例である。
【０１２２】
最後に、実施例４は、図１８に示すように、吸引流路の入口と注射流路の出口が同軸上に位置せず、吸引流路の出口と注射流路の入口も共有しない場合である。
【０１２３】
図１８には、キャップ１００の内部に一方向弁手段３００が内装された例が示されているが、一方向弁手段３００がキャップ１００からシリンダー２０に至る流路中に形成されてもよく、シリンダー２０内に設けられてもよい。
【０１２４】
また、上述のように、気密材質と尖端の貫通針で具現することも可能である。
【０１２５】
その結果、キャップ１００に吸引された薬液は、一方向弁手段３００を経てシリンダー２０に吸引され、シリンダー２０の薬液は、開閉手段４００を除去することにより、ろ過手段２００を経て異物をろ過した後、注射針１０から体内に注射されることになる。
【０１２６】
したがって、本発明に係るフィルター注射器は、吸引流路の入口と注射流路の出口が完全に分離されており、ガラス粉等の異物が薬液と一緒に注射されることを根本的に予防することができ、必要に応じて、一方向弁手段３００を外装型で配置することができるので、一方向弁手段３００のサイズに制限がなく、薬液の吸引をさらに小さな力で円滑に行うことができるという大きな利点を有する。
【０１２７】
また、ろ過手段２００を注射流路の上に設置することにより、微細な気孔径のろ過手段２００が適用されても、薬液の吸引時、大きな力を必要とせず、薬液の注射時、正圧により薬液の注射が円滑に行われることである。
【０１２８】
上述した実施例は、本発明の技術的思想を具体的に説明するための一例であり、本発明の範囲は、上記した図面や実施例に限定されるものではない。
【符号の説明】
【０１２９】
１０    注射針
１１    針
１２    ハブ
１３    接着材料
２０    シリンダー
３０    プランジャー
１００  キャップ
１１０  吸引針
１２０  キャップハブ
１２１  ガイド溝
１２２  係止段
２００  ろ過手段
３００  一方向弁手段
３１０  弾性板
３１１  係止突部
３２１  通路
３２２  開口
３３０  球
３３１、３３２  接触シート
３５０  弾性バンド
３５１  流通孔
３５２  溝部
４００  開閉手段
４１０  気密空間
４２０  フランジ
５００  コネクター
６００  気密手段
【図１】
0006591065.tif 000002
【図２】
0006591065.tif 000003
【図３】
0006591065.tif 000004
【図４】
0006591065.tif 000005
【図５】
0006591065.tif 000006
【図６】
0006591065.tif 000007
【図７】
0006591065.tif 000008
【図８】
0006591065.tif 000009
【図９】
0006591065.tif 000010
【図１０】
0006591065.tif 000011
【図１１】
0006591065.tif 000012
【図１２】
0006591065.tif 000013
【図１３】
0006591065.tif 000014
【図１４】
0006591065.tif 000015
【図１５】
0006591065.tif 000016
【図１６】
0006591065.tif 000017
【図１７】
0006591065.tif 000018
【図１８】
0006591065.tif 000019